(57)【要約】【課題】金型の作製がし易く自動化の組立てを導入し易いため、コストをダウンすることができる放熱フィンの構造を提供する。【解決手段】単一の放熱フィンに上下の二つの折り縁が形成され、折り縁において、一側に四つの係合耳が形成され、もう一側に係合耳に対応する位置に凹槽が形成され、組立てる時、裏側の放熱フィンの係合耳が前方の放熱フィンの凹槽に嵌合されることにより、複数の放熱フィンが放熱フィンセットに組立てられる。【選択図】図２
0003122153.tif 000002
【実用新案登録請求の範囲】
【請求項１】
コンピュータの中央処理装置の放熱フィンに適用される放熱フィン構造であって、
放熱フィンにおいて、上下の両端に水平の折り縁が形成され、上下の水平の折り縁において、一側に、上下の水平の折り縁から突出する、逆三角形部と接続部とからなる四つの係合耳が形成され、また、係合耳と反対するもう一側に、逆三角形部と接続部とからなる係合耳が対応して嵌合するための凹槽が形成され、また、凹槽の先端の壁に、より安定化するためのブロック形状掛け金が設けられ、
隣にある裏側の放熱フィンの係合耳が、前方の放熱フィンの凹槽に嵌合されることにより、複数の放熱フィンが、放熱フィンセットに組立てられ、放熱のために、コンピュータの中央処理装置に実装される、
ことを特徴とする放熱フィン構造。
【請求項２】
当該放熱フィンの係合耳は、Ｔ形状係合耳であり、Ｔ形状上の両端を円弧状にし、組立て時、嵌合がより容易になり、また、上下の水平の折り縁において、Ｔ形状係合耳と反対するもう一側に、Ｔ形状係合耳に対応する凹槽が形成され、また、凹槽に、係合を良く安定化するためのブロック形状掛け金が設けられ、また、組立てる時、隣にある裏側放熱フィンのＴ形状係合耳が、前方の放熱フィンの凹槽に嵌合されることにより、複数の放熱フィン１が、放熱フィンセットに組立てられ、そして，放熱のために、コンピュータの中央処理装置に実装されることを特徴とする請求項１に記載の放熱フィン構造。
【請求項３】
当該放熱フィンの係合耳は、円形状部と接続部とからなるまと形状係合耳であり、上下の水平の折り縁において、まと形状係合耳と反対するもう一側に、まと形状係合耳に対応する凹槽が形成され、また、凹槽に、結合を強化するためのブロック形状掛け金が形成され、組立てる時、隣にある裏側の放熱フィンのまと形状係合耳が、前方の放熱フィンの凹槽に嵌合されることにより、複数の放熱フィン１が、放熱フィンセットに組立てされ、そして、放熱のために、コンピュータの中央処理装置に実装されることを特徴とする請求項１に記載の放熱フィン構造。
【考案の詳細な説明】
【技術分野】
【０００１】
本考案は、特に、コンピュータの中央処理装置に適用される放熱フィン構造に関する。
【背景技術】
【０００２】
従来の放熱フィンは、板状金属を単一の冂形状である放熱フィン１００にプレスし、また、冂形状である放熱フィンの両端を、上下の折り縁２００、３００に湾曲し(図１のように)、また、その上に、突出耳４００を設置し、また、突出耳４００のやや後端に、突出耳４００よりやや大きい凹槽５００が形成され、当該凹槽５００の位置が突出耳４００に対応し、組立てる時、隣にある冂形状である放熱フィン１００の突出耳４００を、もう一つの冂形状である放熱フィン１００の凹槽５００に嵌合して、二つの冂形状である放熱フィン１００が、放熱フィンに組立てられ、コンピュータの中央処理装置に実装される。従来の放熱フィンの突出耳４００は、構造設計が、簡単であるが、係合することにより組立てられる場合、使用する時、外れ易くて、特に、使用すると、熱脹冷縮効果により、外れることが往々であり、メンテナンスをしなければならないため、ユーザーにとって困ることであり、業者にとってコストの増加になり、至急に解決しなければならない問題点である。
【考案の開示】
【考案が解決しようとする課題】
【０００３】
本考案の主の目的は、コンピュータの中央処理装置の放熱フィンに適用され、快速的に放熱効果が得られ、コンピュータの中央処理装置の耐用寿命が向上される放熱フィン構造を提供する。
【０００４】
本考案の他の目的は、係合耳と凹槽の設計が良くて、安定的に係合されて外れ難い利点が得られる放熱フィン構造を提供する。
【０００５】
本考案の他の目的は、係合耳と凹槽の設計が簡単で、金型の作製がし易く、また、自動化の組立てを導入し易いため、コストをダウンすることができる放熱フィンの構造を提供する。
【課題を解決するための手段】
【０００６】
請求項１の考案は、コンピュータの中央処理装置の放熱フィンに適用される放熱フィンの構造であって、放熱フィンにおいて、上下の両端に水平の折り縁が形成され、上下の水平の折り縁において、一側に、上下の水平の折り縁から突出する、逆三角形部と接続部とからなる四つの係合耳が形成され、また、係合耳と反対するもう一側に、逆三角形部と接続部とからなる係合耳が対応して嵌合するための凹槽が形成され、また、凹槽の先端の壁に、より安定化するためのブロック形状掛け金が設けられ、隣にある裏側の放熱フィンの係合耳が、前方の放熱フィンの凹槽に嵌合されることにより、複数の放熱フィンが、放熱フィンセットに組立てられ、放熱のために、コンピュータの中央処理装置に実装される、ことを特徴とする放熱フィンの構造である。
【０００７】
請求項２の考案は、当該放熱フィンの係合耳が、Ｔ形状係合耳であり、Ｔ形状上の両端を円弧状にし、組立て時、嵌合がより容易になり、また、上下の水平の折り縁において、Ｔ形状係合耳と反対するもう一側に、Ｔ形状係合耳に対応する凹槽が形成され、また、凹槽に、係合を良く安定化するためのブロック形状掛け金が設けられ、また、組立てる時、隣にある裏側放熱フィンのＴ形状係合耳が、前方の放熱フィンの凹槽に嵌合されることにより、複数の放熱フィン１が、放熱フィンセットに組立てられ、そして，放熱のために、コンピュータの中央処理装置に実装されることを特徴とする請求項１に記載の放熱フィンの構造である。
【０００８】
請求項３の考案は、当該放熱フィンの係合耳が、円形状部と接続部とからなるまと形状係合耳であり、上下の水平の折り縁において、まと形状係合耳と反対するもう一側に、まと形状係合耳に対応する凹槽が形成され、また、凹槽に、結合を強化するためのブロック形状掛け金が形成され、組立てる時、隣にある裏側の放熱フィンのまと形状係合耳が、前方の放熱フィンの凹槽に嵌合されることにより、複数の放熱フィン１が、放熱フィンセットに組立てされ、そして、放熱のために、コンピュータの中央処理装置に実装されることを特徴とする請求項１に記載の放熱フィンの構造である。
【考案を実施するための最良の形態】
【０００９】
本考案は、図２乃至５のように、コンピュータの中央処理装置の放熱フィンに適用される放熱フィンの構造である。
【００１０】
本考案は、板状であるアルミニウムや銅板で、単一の放熱フィン１をプレスし、上下の両端に、水平の折り縁２が形成され、上下の水平の折り縁２において、一側に、上下の水平の折り縁２から突出する、逆三角形部４と接続部５とからなる四つの係合耳３が形成され、また、係合耳３と反対するもう一側に、逆三角形部４と接続部５とからなる係合耳３が対応して嵌合するための凹槽７が形成され、また、凹槽７の先端の壁に、より安定化するためのブロック形状掛け金６が設けられ、容易に嵌合するため、当該凹槽７の面積が、係合耳３の面積より少し大きくなり、組立てる時、隣にある裏側の放熱フィン１の係合耳３が、前方の放熱フィン１の凹槽７に嵌合されることにより、複数の放熱フィン１が、放熱フィンセット８に組立てられ(如図５)、そして、コンピュータの中央処理装置に実装され、そのため、製造が簡単で、快速的に組立てられ、快速的に放熱でき、そして、コンピュータの中央処理装置の耐用寿命が向上される効果が得られる。
【００１１】
本考案に係わる放熱フィン１の係合耳３は、Ｔ形状係合耳９であってもよく、Ｔ形状の両端を円弧状１０にすると(図６のように)、組立て時、嵌合がより容易になり、また、上下の水平の折り縁２において、Ｔ形状係合耳９と反対するもう一側に、Ｔ形状係合耳９に対応する凹槽１１が形成され、また、凹槽１１に、係合を良く安定化するためのブロック形状掛け金１２が設けられ、また、容易に嵌合するため、凹槽１１の面積が、Ｔ形状係合耳９の面積より少し大きくなり、組立てる時、隣にある裏側の放熱フィン１のＴ形状係合耳９が、前方の放熱フィン１の凹槽１１に嵌合されることにより、複数の放熱フィン１が、放熱フィンセットに組立てられ、そして、放熱のために、コンピュータの中央処理装置に実装される。
【００１２】
本考案に係わる放熱フィン１の係合耳３は、円形状部１３と接続部１４とからなるまと形状係合耳１５であってもよく(図７のように)、上下の水平の折り縁２において、まと形状係合耳１５と反対するもう一側に、まと形状係合耳１５に対応する凹槽１６が形成され、また、凹槽１６に、両者の結合を強化するためのブロック形状掛け金１７が形成され、また、容易に嵌合するため、凹槽１６の面積が、まと形状係合耳１５の面積より少し大きくなり、組立てる時、隣にある裏側の放熱フィン１のまと形状係合耳１５が、前方の放熱フィン１の凹槽１６に嵌合されることにより、複数の放熱フィン１が、放熱フィンセットに組立てられ、そして、放熱のために、コンピュータの中央処理装置に実装される。
【図面の簡単な説明】
【００１３】
【図１】従来の放熱フィン図
【図２】本考案に係わる放熱フィンの係合耳と凹槽の説明図
【図３】本考案に係わる放熱フィンの係合耳と凹槽とが係合する前の作動図
【図４】本考案に係わる係合耳が組立てられる時の断面図
【図５】本考案に係わる放熱フィンの組立て図
【図６】本考案に係わる放熱フィンのＴ形状係合耳図
【図７】本考案に係わる放熱フィンのまと形状係合耳図
【符号の説明】
【００１４】
１            放熱フィン
２            水平の折り縁
３            係合耳
４            逆三角形部
５            接続部
６            ブロック形状掛け金
７            凹槽
８            放熱フィンセット
９            Ｔ形状係合耳
１０          円弧状
１１          凹槽
１２          ブロック形状掛け金
１３          円形状部
１４          接続部
１５          まと形状係合耳
１６          凹槽
１７          ブロック形状掛け金
１００        放熱フィン
２００        上の折り縁
３００        下の折り縁
４００        突出耳
５００        凹槽
【図１】
0003122153.tif 000003
【図２】
0003122153.tif 000004
【図３】
0003122153.tif 000005
【図４】
0003122153.tif 000006
【図５】
0003122153.tif 000007
【図６】
0003122153.tif 000008
【図７】
0003122153.tif 000009